(57)【特許請求の範囲】
【請求項１】
底板上に背面板が形成される後本体および、この後本体の背面板の前面に嵌め込まれる前面パネルとからなり、設置面上に載置される室内機本体と、
上記後本体に取付けられる室内熱交換器と、
この室内熱交換器の側方部位に取付けられ、内部に制御用電気部品等を収容する電気部品箱と、
この電気部品箱の上面部を覆い、上方から滴下する液体を受けて排出案内する保護カバー部材と、を備え、
上記保護カバー部材は、左右両側面端縁と背面側縁に沿って形成され、前端部から背面側に向けて漸次下方に傾斜する周縁部と、上記周縁部の内側部分に上方へ突出形成される突部と、上記周縁部に設けられる排水溝と、上記周縁部の背面部に設けられる欠落部を備え、
上記後本体の背面板に、上記保護カバーの上記欠落部から流下する液体を上記後本体に設けられるドレンパンに案内する案内通路
を具備することを特徴とする空気調和機の室内機。
【請求項２】
上記前面パネルには、吸込み口と吹出し口が設けられるとともに、設定温度・室温・運転条件などを表示する表示部の嵌め込み用開口部が設けられ、
上記保護カバー部材は、上記嵌め込み用開口部に嵌め込まれる表示部の取付け固定台を兼用する
ことを特徴とする請求項１記載の空気調和機の室内機。
【請求項３】
上記保護カバー部材は、上記周縁部のみが上記電気部品箱の上面部に載置され、上記突部と電気部品箱の上面部との間に空間スペースが形成される略椀型構造をなし、
上記保護カバー部材の突部と電気部品箱の上面部との間の空間スペースに、必要追加部品を配置可能とした
ことを特徴とする請求項１または請求項２に記載の空気調和機の室内機。
【発明の詳細な説明】
【技術分野】
【０００１】
本発明は、床置きタイプの空気調和機の室内機に係り、特に筐体である室内機本体内に収容される電気部品箱内部への液体浸入防止構造に関する。
【背景技術】
【０００２】
一般的に、床置きタイプの室内機は据付けスペースの関係から、通常、前後間が比較的薄い箱型形状をなしている。そして、安定感を強調するデザイン上の理由等で、上面と左右両側面および前後面が平面状となっている。
【０００３】
［特許文献１］に開示される空気調和機の室内機は、床置き型または壁埋込み型であり、概略は上述のように構成される。床置き型の場合、室内の壁際などの低い場所に配置される関係上、本体ケーシングの上面部に物が置かれ易い。
【０００４】
置かれるものが、上面部から床面に落下したところで破壊しない物、もしくは拡散しない物（たとえば、置物・マスコット類）の場合は何ら支障がないが、液体（たとえば、水・牛乳）が入ったコップ・瓶等が置かれることも考えられる。
【０００５】
これらが誤って転倒すれば、液体は周囲に拡散するばかりでなく、本体ケーシング上面に流下する。この流下した液体の一部が、本体ケーシングを構成するパネルの合せ目から本体ケーシング内に浸透する可能性があり、本体ケーシング内に収容される構成部品を濡らしてしまう不具合が生じる。
【先行技術文献】
【特許文献】
【０００６】
【特許文献１】特開２００８−２５６２７６号公報
【発明の概要】
【発明が解決しようとする課題】
【０００７】
［特許文献１］に記載される空気調和機の室内機において、床置き形空気調和機の構成は、一般的に、本体ケーシング内部の前面側に室内熱交換器が配置され、この背面側に室内送風機が配置される。室内熱交換器側面部と本体ケーシング側面部との間の底板上には、接続配管や弁類等が配置される。
【０００８】
これら接続配管や弁類等の上方部位で、室内熱交換器側面部と本体ケーシング側面部との間のスペースに電気部品箱が配置される。電気部品箱の上面部は本体ケーシングの上面部と近接した位置にあり、本体ケーシングを構成するパネルの合せ目から液体が漏れれば即、電気部品箱の上面部が濡れる位置にある。
【０００９】
電気部品箱自体は、金属（鉄板）薄板を折曲げ加工した箱体であり、メンテナンス作業を考慮するとともにコストの点から簡易構造をなしている。電気部品箱内部に収容される、制御用電気部品、ＰＣ板、ハーネス類が水等の液体に濡れれば、漏電事故を引き起こす確率が極めて高い。
【００１０】
たとえば、製品の安全性を確認する手段として、本体ケーシング上面部に水を掛けて電気部品箱内への浸入状態と、漏電事故発生の有無を確認するテストがある。全ての製品は本体ケーシングを構成するパネルの合せ目を密に組合せ、ここからの液体浸入防止をなすことで、安全性を確保している。
【００１１】
しかしながら、製品を設置し、長期間使用した場合、本体ケーシングの部分的な歪みの発生や、物をぶつけたことによる本体ケーシングの変形等の影響でパネルの合せ目に隙間が発生することもあり得る。このような場合、パネル合せ目から水が漏れれば電気部品箱の上面部を濡らし、内部に浸入する虞れが生じる。
【００１２】
本発明は上記事情にもとづきなされたものであり、その目的とするところは、たとえ室内機本体内部へ液体の浸入があっても、電気部品箱を濡らすことの防止をなすとともに、電気部品箱内部への液体の浸入を確実に阻止して、製品の長期間の使用に対しても安全性を確保し得る空気調和機の室内機を提供しようとするものである。
【課題を解決するための手段】
【００１３】
上記目的を満足するため本発明における空気調和機の室内機は、底板上に背面板が形成される後本体および背面板の前面に嵌め込まれる前面パネルとからなる室内機本体で、室内熱交換器が、室内機本体を構成する後本体に取付けられる。内部に制御用電気部品等を収容する電気部品箱が、室内熱交換器の側方部位に取付けられる。保護カバー部材が、電気部品箱の上面部を覆い、後本体の背面板と前面パネルとの合せ面から浸透し滴下する上方からの液体を受けて排出案内する。
上記保護カバー部材は、左右両側面端縁と背面側縁に沿って形成され、前端部から背面側に向けて漸次下方に傾斜する周縁部と、周縁部の内側部分に上方へ突出形成される突部と、周縁部に設けられる排水溝と、周縁部の背面部に設けられる欠落部を備える。
上記後本体の背面板に、保護カバーの欠落部から流下する液体を後本体に設けられるドレンパンに案内する案内通路を具備する。
【発明の効果】
【００１４】
本発明によれば、たとえ室内機本体内部へ液体の浸入があっても、電気部品箱を濡らすことの防止をなすとともに、電気部品箱内部への浸入を確実に阻止して、安全性の向上化を得る等の効果を奏する。
【図面の簡単な説明】
【００１５】
【図１】本発明における一実施の形態に係る、空気調和機の室内機の外観斜視図。
【図２】同実施の形態に係る、空気調和機の室内機を構成する前面パネルを取外した状態の斜視図。
【図３】同実施の形態に係る、空気調和機の室内機を構成する前面パネルを取外して、一部を拡大した斜視図。
【図４】同実施の形態に係る、保護カバー部材の外観斜視図と、下面側から見た斜視図。
【図５】同実施の形態に係る、室内機本体の上面部に液体をこぼした状態の斜視図。
【図６】本発明における他の実施の形態に係る、空気調和機の室内機を構成する前面パネルを取外して、一部を拡大した斜視図。
【発明を実施するための形態】
【００１６】
以下、本発明の実施の形態を、図面にもとづいて説明する。  
図１は、床置きタイプの空気調和機の室内機における外観斜視図である。  
室内機本体１は、この室内機本体１の後側筐体を構成する後本体２と、前側筐体を構成する前面パネル３とから構成されている。上記後本体２は、背面板４と底板５が一体に形成されていて、底板５が被空調室の床面に載置され、背面板４が被空調室の壁面に近接するようにして設置される。
【００１７】
後本体２を構成する背面板４の前面が開口され、この開口部に上記前面パネル３が嵌め込まれる。前面パネル３の上端部に沿う部分と、下端部に沿う部分のみ斜面に形成されているが、前面パネル３の前面と上面一部および両側面ともに平面状をなす。後本体２の背面板４においても上面および左右両側面ともに平面状をなす。したがって、室内機本体１として、前後方向に薄い略箱型形状をなしている。
【００１８】
前面パネル３の上端部に沿う斜めに形成される部分に沿って上部吹出し口６と、表示部嵌め込み用開口部７が並んで設けられている。上部吹出し口６にはルーバー８が設けられていて、このルーバー８は駆動モーターに連結され、冷房運転と暖房運転時に回動して冷風と温風の上下吹出し方向を可変する。
【００１９】
上記表示部嵌め込み用開口部７には、設定温度・室温・運転条件等を表示するＬＥＤ・ランプ類・操作スイッチ類を備えた表示部組立１０が嵌め込まれている。なお、この表示部組立１０の取付け構造については後述する。
【００２０】
前面パネル３の下端部に沿う斜めに形成される部分に沿って下部吹出し口１１が開口されていて、ここには複数枚の縦ルーバーが所定間隔を存して設けられる。これら縦ルーバーも駆動モーターに連結されていて、たとえば冷房運転と暖房運転時に回動して冷風と温風の左右吹出し方向を可変する。  
さらに、前面パネル３の上下方向の略中央部で、この幅方向に沿って前面吸込み口１２が設けられ、両側部に上下方向に長い側面吸込み口１２ａが設けられる。
【００２１】
図２は、室内機本体１を構成する前面パネル３を取外して、後本体２に取付けられる構成部品を示す室内機本体１内部の斜視図である。  
上部吹出し口６に嵌め込まれるルーバー８の左右幅方向寸法と略同一寸法に形成され、かつ互いの位置が揃えられるようにしてエアフィルタ１３が、後本体２に着脱自在に取付けられる。このエアフィルタ１３の背面側に室内熱交換器１４が配置されていて、室内熱交換器１４は後本体２に設けられるドレンパン１４ａ上に載置される。
【００２２】
上記室内熱交換器１４の側面部から略Ｕ字状に曲成される熱交換パイプＰが突出していて、これら熱交換パイプＰ頂部と背面板４側部（すなわち、室内機本体１側面部）との間に空間スペースが確保されている。
【００２３】
上記空間スペースの上部側に電気部品箱１５が配置され、この電気部品箱１５の上面部には後述する保護カバー部材１６と、上記表示部組立１０が取付けられる。電気部品箱１５の下端と後本体２の底板５との間には、室外機から延出される冷媒管との接続配管等が収容されるスペースが形成される。
【００２４】
また、上記室内熱交換器１４背面と背面板４との間に形成されるスペースには、室内送風機が配置される。上記室内送風機を駆動することにより、室内空気が前面吸込み口１２および側面吸込み口１２ａから室内機本体１内に吸込まれ、室内熱交換器１４を流通して上部吹出し口６と下部吹出し口１１とから吹出されることになる。
【００２５】
図３は、図２に示す室内熱交換器１４および上部吹出し口６に設けられるルーバー８の右側部分と、電気部品箱１５と、保護カバー部材１６および表示部組立１０を拡大して示す斜視図である。
【００２６】
電気部品箱１５は、金属薄板を折曲げ加工した、幅方向と比較して上下方向に長い矩形状の箱体であり、ここでは図示しない背面側は、背面板４に近接する奥行き寸法に形成される。前面には開口部を備えていて、前蓋ａが取付けねじｂを介して取付けられ、メンテナンス時には取付けねじｂを外すことで内部を開放できる。
【００２７】
このような電気部品箱１５の上面部と背面板４の上面部との間の空間スペースに、上記保護カバー部材１６と表示部組立１０が介在される。なお説明すると、保護カバー部材１６は電気部品箱１５の上面部に載置されるとともに背面板４に取付け固定され、表示部組立１０は保護カバー部材１６の前面部に取付け固定される。
【００２８】
すなわち、保護カバー部材１６の前面部は、下端部側が手前側に延出するよう斜面に形成され、この前面傾斜部１６ａに取付けられる表示部組立１０は斜めに傾斜した状態となっている。傾斜角度は前面パネル３の上端角部の傾斜角度と同一であり、したがって表示部組立１０が前面パネル３の表示部嵌め込み用開口部７に沿って嵌め込まれる。
【００２９】
図４（Ａ）は、保護カバー部材１６の斜視図であり、図３に示したように電気部品箱１５の上面部に載置される状態そのままの姿勢で示している。図４（Ｂ）は、図４（Ａ）に示す保護カバー部材１６を裏返した状態の斜視図である。
【００３０】
保護カバー部材１６は、前面傾斜部１６ａの前面側下端を除く、左右両側面端縁と背面側縁に沿って周縁部１６ｂが形成される。この周縁部１６ｂの内側部分は、上方へ一体に断面略逆Ｕ字状に突出形成される突部１６ｃおよび上記前面傾斜部１６ａからなり、全体として略椀型構造をなしている。
【００３１】
突部１６ｃと前面傾斜部１６ａとの境目においては、前面傾斜部１６ａが突部１６ｃよりも、上方と左右側方に突出しており、段差状となっている。突部１６ｃ上面で、かつ背面側に寄った位置に、左右一対の取付け用突片１７が突設され、これら取付け用突片１７の上端部には半円状の切欠きが設けられる。  
上記前面傾斜部１６ａには矩形状の孔部１８が設けられていて、これは上記表示部組立１０に接続されるハーネス類の挿通用として用いられる。
【００３２】
上記周縁部１６ｂは前端部から背面側にかけて漸次下方に傾斜し、背面側が最も低い。前面傾斜部１６ａと突部１６ｃの左右両側部下端の境目から、両側部と背面に亘る端縁に沿って片部が一体に突出形成され、樋状をなす排水溝１６ｄを有する。図４（Ｂ）のみ示すように、背面側の角部のみ周縁部１６ｂが欠落され、欠落部１６ｅとなっている。
【００３３】
このような保護カバー部材１６であるので、突部１６ｃ上面に液体がかかると、液体は両側部から排水溝１６ｄに流下し、かつこの傾斜に沿って背面側に導かれ、上記欠落部１６ｅから流下するよう構成される。
【００３４】
上記周縁部１６ｂの下面側で、この一側部にのみ互いに所定間隔を存して２枚の脚部１６ｆが一体に突設される。これら脚部１６ｆは、保護カバー部材１６を電気部品箱１５の上面部に取付けた状態で、電気部品箱１５の上面部に直接載る。
【００３５】
再び図３に示すように、電気部品箱１５の上面部に載置された保護カバー部材１６は、前面傾斜部１６ａが電気部品箱１５の前面部から前方に突出し、ここに表示部組立１０が取付けられる。保護カバー部材１６の周縁部１６ｂと脚部１６ｆの一部は、電気部品箱１５の側面部から側方へ突出している。
【００３６】
特に図示していないが、保護カバー部材１６の上記脚部１６ｆが設けられる側辺部とは対向する側辺部は、後本体背面板４に設けられる棚部に載っている。さらに、保護カバー部材１６の背面部も電気部品箱１５の背面部から背面側へ突出し、背面板４に設けられる棚部に載る。
【００３７】
室内機本体１の上方部位から保護カバー部材１６と電気部品箱１５を見ると、保護カバー部材１６の投影面の圏内に電気部品箱１５が入り、電気部品箱１５の上面部は保護カバー部材１６によって完全に覆われる。なお、後本体２の背面板４と前面パネル３との合せ面が、保護カバー部材１６の突部１６ｃの上方部位となるよう組立てられている。
【００３８】
このようにして構成される空気調和機の室内機であり、冷房運転もしくは暖房運転等を指示し運転開始ボタンをオンすることにより、指示した空調運転が開始される。前面吸込み口１２と側面吸込み口１２ａから室内機本体１内に吸込まれた室内空気が室内熱交換器１４を流通して熱交換する。
【００３９】
室内空気は冷気もしくは暖気に変って、上部吹出し口６と下部吹出し口１１とから吹出される。上部吹出し口６に設けられるルーバー８は、冷房運転時に冷気が斜め上方へ吹出すよう傾斜姿勢となり、暖房運転時には暖気が前方に吹出されるよう水平姿勢になる。下部吹出し口１１に設けられる縦ルーバーは、いずれの運転時にも左右に回動駆動され、冷気もしくは暖気が室内に広く拡散するよう吹出される。
【００４０】
なお、上部吹出し口６と下部吹出し口１１とは、冷房運転時あるいは暖房運転時に常に双方共に開くとは限らず、室内と設定温度との温度差により、もしくは任意の設定により、一方のみ開放し、他方を閉塞させることで、上もしくは下のみの吹出運転を行う運転モードも備えている。
【００４１】
空気調和機本体１の上面部が平坦状であるので、空調運転時もしくは運転停止時に拘わらず、上面部に物が置かれる可能性がある。たとえば、一時的に置かれた物が液体の入ったコップであり、誤ってそのコップを倒してしまい、液体が空気調和機本体１の上面部に流下してしまう場合がある。。  
図５は、室内機本体１の上面部に液体をこぼした状態を模式的に示す図である。  
室内機本体１は、上述のとおり後本体２の背面板４と前面パネル３とを嵌め合わせて構成されており、室内機本体１の上面部にこぼれた液体Ｗは、背面板４と前面パネル３との嵌め合わせ部分に浸透する。そして、これらの嵌め合わせ部分から液体Ｗは滴下して、室内熱交換器１４と保護カバー部材１６を濡らす。
【００４２】
空調運転中であれば、室内熱交換器１４に滴下した液体Ｗは、室内送風機からの送風に吹き飛ばされて直ちに乾燥する。運転停止中であっても、室内熱交換器１４はフィン（金属板）と熱交換パイプ（銅管）Ｐとの組立体であるので、液体Ｗは自然的に乾燥する、もしくはドレンパン１４ａに受け入れられ、室内熱交換器１４への影響はほとんど無い。
【００４３】
また、保護カバー部材１６に滴下した液体は、組立構成上、突部１６ｃの上面部や側面部を濡らす。全ての液体は排水溝１６ｄに受け入れられ、この傾斜に沿って背面側へ流れて、背面部から上記した欠落部１６ｅに導かれ排出される。
【００４４】
後本体２の背面板４には、保護カバー部材１６の欠落部１６ｅから流下する液体Ｗをドレンパン１４ａに案内する案内通路が設けられている。したがって、保護カバー部材１６の欠落部１６ｅから流下する液体Ｗは室内機本体１の周辺部に拡散することなく、室内熱交換器１４で生成され流下するドレン水とともにドレンパン１４ａに排水される。
【００４５】
電気部品箱１５は、平面視で保護カバー部材１６の投影面圏内にあるから、保護カバー部材１６に滴下した液体Ｗが電気部品箱１５を濡らすことはない。すなわち、保護カバー部材１６を備えたので、室内機本体１上面部から液体Ｗが浸入し滴下しても、電気部品箱１５内には浸入せず、収容されている電気部品の漏電事故の発生を確実に阻止する。
【００４６】
なお、上述の実施の形態では、上記前面パネル３に表示部嵌め込み用開口部７が設けられ、表示部組立１０が嵌め込まれる。そして、表示部組立１０は保護カバー部材１６の前面傾斜部１６ａに取付けられていて、保護カバー部材１６は電気部品箱１５に対する防水構造をなすとともに表示部組立１０の取付け固定台を兼用している。
【００４７】
従来、ＬＥＤ・ランプ類・操作スイッチ等の表示部構成部品を直接、電気部品箱の上面部に取付け固定していた。それぞれの構成部品は比較的小さく、かつ部品点数が多いので、個々の構成部品の位置を正確に出すのが困難であった。そのため、前面パネルを嵌め込んだ状態で、ここに設けられる開口部に対して構成部品の位置ズレが生じることある。
【００４８】
本発明における上述の構成では、表示部組立１０を保護カバー部材１６に取付け固定して前面パネル３の表示部嵌め込み用開口部７に嵌め込むようにしている。したがって、従来のような構成部品の位置ズレによるＬＥＤの光漏れなどの不具合を解消して、位置ズレ防止と、本体操作部の操作性向上が図れる。
【００４９】
図６は、第２の実施の形態における電気部品箱１５と保護カバー部材１６との関連構造を示す斜視図である。  
上述したように保護カバー部材１６は、周縁部１６ｂのみが電気部品箱１５の上面部に載置され、周縁部１６ｂ内側部分の突部１６ｃと前面傾斜部１６ａが上方へ突出する略椀型構造をなしている。したがって、電気部品箱１５上に保護カバー部材１６を載置すると、突部１６ｃと前面傾斜部１６ａ内に空間スペースが形成される
そのため、保護カバー部材１６の少なくとも突部１６ｃと電気部品箱１５上面部との間の空間スペースに、必要追加部品Ｈの配置が可能となっている。実際には、電気部品箱１５の上面部に必要追加部品Ｈを載置固定し、これら必要追加部品Ｈを保護カバー部材１６の突部１６ｃで覆う構成となる。
【００５０】
たとえば家庭用として用いられる空気調和機は、１台の室外機と１台の室内機とから構成されるが、業務用としては、能力の大きな室外機に対して、複数台の室内機が接続される。家庭用として用いられる室内機を、そのまま業務用として流用するには、それぞれの室内機に電気部品・端子台・配線等の必要追加部品Ｈを備えなければならない。
【００５１】
小型化のために、室内機本体１の外形寸法は極限まで切り詰められていて、この内部に必要追加部品Ｈを取付けるためのスペースが確保し難い。そこで、上述のように保護カバー部材１６を略椀型構造にして、電気部品箱１５の上面部との間に必然的に形成される空間スペースに必要追加部品Ｈを取付けることで、問題の解決が図れる。
【図１】
0005492626.tif 000002
【図２】
0005492626.tif 000003
【図３】
0005492626.tif 000004
【図４】
0005492626.tif 000005
【図５】
0005492626.tif 000006
【図６】
0005492626.tif 000007